(57)【要約】【課題】  セメント板１Ａを外面に備えた密着型の通気性断熱パネル１を、通気性を保証した十字ジョイントによって、上下接続してコンクリート外壁Ｗを通気性外断熱に被覆し、パネルセメント板及び外装材のヒートストレス劣下を抑制すると共に、パネル内部結露も抑制したコンクリート外断熱壁を提供する。【解決手段】  内面に条溝Ｇ，Ｇ´群を備えた成形セメント板１Ａと断熱層１Ｂとを層着した密着型の通気性断熱パネル１の上下接続を、内側に上下に貫通する空気連通溝ＧＡを備えた十字ジョイント５の、上下垂直片５Ｆ，５Ｆ´のパネル条溝Ｇへの嵌入挿通により実施し、上下パネル１の全条溝Ｇ，Ｇ´の空気の上下連通機能を保証する。【選択図】    図１
2007146390.tif 000002
【特許請求の範囲】
【請求項１】
内面に条溝（Ｇ，Ｇ´）群を備えた成形セメント板（１Ａ）と断熱層（１Ｂ）とを層着した密着型の通気性断熱パネル（１）を、鉄筋コンクリート造建物の壁（Ｗ）の外面に張設した外断熱壁構造であって、通気性断熱パネル（１）の上下接続は、両側に水平当接片（５Ｍ，６Ｍ，１０Ｍ，１１Ｍ）を突設し、中央に、上方嵌入用垂直片（５Ｆ，６Ｆ，１０Ｆ，１１Ｆ）及び下方嵌入用垂直片（５Ｆ´，６Ｆ´，１０Ｆ´，１１Ｆ´）を備え、且つ、上下の嵌入用垂直片の内側には空気連通溝（ＧＡ）を備えた十字ジョイント（５，６，１０，１１）の各垂直片を、下方パネル（１）の上端の条溝（Ｇ）からは下方の嵌入用垂直片を、上方パネル（１）の下端の条溝（Ｇ）からは上方の嵌入用垂直片を、それぞれ対向する条溝（Ｇ）内に嵌入し、上下の通気性断熱パネル（１）を、対向各条溝（Ｇ，Ｇ´）の通気機能を保持して張設した、鉄筋コンクリート造建物の外断熱壁構造。
【請求項２】
通気性断熱パネル（１）は、断熱層（１Ｂ）が、セメント板（１Ａ）に対し、一側では大寸法（ｄ２´）突出し、他側では小寸法（ｄ１´）入り込み、上端では大寸法（ｄ２）突出し、下端では小寸法（ｄ１）入り込んでおり、セメント板（１Ａ）の条溝（Ｇ，Ｇ´）群は、少なくとも、両端の条溝（Ｇ）及び中央の肉厚部（１Ｄ）の両側の条溝（Ｇ）が、底面（ＧＢ）と、左右の等角度（θ）で内向する傾斜側辺（ＧＳ）と、上端の開口部（ＧＦ）を備えた断面台形である、請求項１の外断熱壁構造。
【請求項３】
十字ジョイント（５，６，１０，１１）は、上方嵌入用垂直片（５Ｆ，６Ｆ，１０Ｆ，１１Ｆ）と下方嵌入用垂直片（５Ｆ´，６Ｆ´，１０Ｆ´，１１Ｆ´）とが底板（５Ｄ，６Ｄ，１０Ｄ，１１Ｄ）で一体化し、上下の嵌入用垂直片は、断面外形が、底板（５Ｄ，６Ｄ，１０Ｄ，１１Ｄ）と両側の等角度で内向する傾斜側板（５Ｓ，６Ｓ，１０Ｓ，１１Ｓ）とを備えた上端開放の台形であり、傾斜側板の外面の傾斜角（θ）が、セメント板（１Ａ）の条溝（Ｇ）の傾斜側辺（ＧＳ）の傾斜角（θ）と同一であって、底板外面（Ｏｓ）の幅（Ｘ２）は条溝（Ｇ）の底面（ＧＢ）に対し左右調整動可能寸法であり、上下の嵌入用垂直片の底板をセメント板（１Ａ）の条溝（Ｇ）の底面（ＧＢ）側にして配置した、請求項１又は２の外断熱壁構造。
【請求項４】
通気性断熱パネル（１）の上下接続部では、十字ジョイント（５，１０）の水平当接片（５Ｍ，１０Ｍ）が上下成形セメント板（１Ａ）間の横目地（ｄｘ）間隔を規定し、左右各十字ジョイント（５，１０）間の横目地（ｄｘ）間隔には、水平当接片（５Ｍ，１０Ｍ）の上下幅（Ｙ２）と同高のハニカムバッカー（２）を、条溝（Ｇ，Ｇ´）群上に延展介在させ、上下パネル（１）相互の対向条溝（Ｇ，Ｇ´）群の通気機能を保証した、請求項１又は２又は３の外断熱壁構造。
【請求項５】
十字ジョイント（５，１０）の横目地（ｄｘ）間隔での露出外面（Ｏｓ）にバックアップ材（３）を貼着し、ハニカムバッカー（２）及びバックアップ材（３）の前面にシーリング（４）を充填して横目地（ｄｘ）を形成した、請求項４の対談熱壁構造。
【請求項６】
縦方向の底板（５Ｄ，６Ｄ，１０Ｄ，１１Ｄ）の両側端縁から傾斜側板（５Ｓ，６Ｓ，１０Ｓ，１１Ｓ）を、断面外形が、底板を底面として等角度（θ）で内方に傾斜し、上端開放した台形に起立して、上方嵌入用垂直片（５Ｆ，６Ｆ，１０Ｆ，１１Ｆ）及び下方嵌入用垂直片（５Ｆ´，６Ｆ´，１０Ｆ´，１１Ｆ´）を構成し、両側の傾斜側板（５Ｓ，６Ｓ，１０Ｓ，１１Ｓ）と底板（５Ｄ，６Ｄ，１０Ｄ，１１Ｄ）とで囲まれる内側を上下方向に連通する空気連通溝（ＧＡ）とし、且つ、両側傾斜側板（５Ｓ，６Ｓ，１０Ｓ，１１Ｓ）の中間からは、両側に水平当接片（５Ｍ，６Ｍ，１０Ｍ，１１Ｍ）を突設した、請求項１の発明に使用する十字ジョイント。
【請求項７】
水平当接片（５Ｍ，１０Ｍ）が、横目地（ｄｘ）形成用の上下幅（Ｙ２）を有する底板（５Ｄ，１０Ｄ）と、底板縁から起立した側板（５Ｐ，１０Ｐ）との箱形態である、請求項６の十字ジョイント。
【請求項８】
水平当接片（６Ｍ，１１Ｍ）が、板体である、請求項６の十字ジョイント。
【請求項９】
上下の嵌入用垂直片（５Ｆ，５Ｆ´，６Ｆ，６Ｆ´）は、傾斜側板（５Ｓ，６Ｓ）が、上下端に先端方向に挟まるテーパー部（５Ｓ´，６Ｓ´）を備え、テーパー部（５Ｓ´，６Ｓ´）の切欠き（５Ｃ，６Ｃ）で空気連通溝（ＧＡ）を形成した、請求項６の十字ジョイント。
【請求項１０】
テーパー部（５Ｓ´，６Ｓ´）の外縁（ｔ５，ｔ６）は、先端に向う底板（５Ｄ，６Ｄ）方向への傾斜縁であり、上下端部での切欠き（５Ｃ，６Ｃ）によって補強用の上端片（５Ｔ，６Ｔ）及び下端片（５Ｂ，６Ｂ）を形成した、請求項９の十字ジョイント。
【請求項１１】
両側の傾斜側板（１０Ｓ，１１Ｓ）は、外面（ｏｆ）及び内面（ｉｆ）が、上端から下端まで平坦面であって、断面形態が、大寸（ｄｂ）の基端（ｂ１０，ｂ１１）から小寸（ｄｆ）の先端（ｅ１０，ｅ１１）へとテーパー形態であり、且つ、上下端縁（ｔｓ）は、底板（１０Ｄ，１１Ｄ）側から先端（ｅ１０，ｅ１１）へと中央方向に傾斜している、請求項６の十字ジョイント。
【請求項１２】
上方の嵌入用垂直片（５Ｆ，６Ｆ，１０Ｆ，１１Ｆ）の長さ（Ｙ３）が、下方の嵌入用垂直片（５Ｆ´，６Ｆ´，１０Ｆ´，１１Ｆ´）の長さ（Ｙ４）より大寸である、請求項６乃至１１のいずれか１項の十字ジョイント。
【発明の詳細な説明】
【技術分野】
【０００１】
本発明は、鉄筋コンクリート建築物の外壁を、通気性断熱パネルで外断熱に張設するものであり、より詳しくは、通気性断熱パネルの上下接続を、通気条溝への十字ジョイントの嵌入により、且つ通気機能を保証する形態で実施するものであり、鉄筋コンクリート造建築の技術分野に属するものである。
【背景技術】
【０００２】
鉄筋コンクリート造の外断熱建築物は、コンクリート躯体の外側を断熱層で被覆するため、太陽日射での熱ストレスによるひび割れが抑制出来ること、コンクリート躯体が空気に接触しないために、コンクリートの中性化が抑制出来て鉄筋棒鋼の腐蝕が防止出来、建物の耐久性が向上すること、更には、建物内の温度環境が維持出来て建物内の結露発生が抑制出来、カビ、ダニの発生が抑制出来て健康面でも優れているため、省エネルギーの高性能建物として評価されている。
【０００３】
図８、図９は、非特許文献で開示された鉄筋コンクリート造建物の外断熱施工に関する技術であって、複合パネルは、図８（Ａ）に示す如く、内面に条溝を多数並設した２５mm厚のセメント板に断熱層を層着したものであり、セメント板の条溝は、図８（Ｂ）に示す如く、１３mm深さであって、両端の条溝のみ、溝の元端が３５mm、先端開放幅が３０mmで、外側辺が６０°傾斜、内側辺が８０°傾斜であり、該複合パネルは、外断熱密着型の断熱複合パネルではあるが、非通気性パネルとして使用するものであって、外装下地材としての押出成形セメント板と硬質ウレタンフォームの断熱層の一体化層着物で、型枠併用の利便性、及び、外装下地材としての強度（曲げ、圧縮、引張、剪断）、凍結溶解性能（吸水率小、含水率小）、耐火性、耐久性、及び断熱性を保持するもので「アキレスＫＤパネル（商品名）」として提供されている。
【０００４】
図８（Ｃ），（Ｄ）は、該アキレスＫＤパネル（商品名）の型枠としての使用時に、上下パネルの接続に用いる十字ジョイントであり、図８（Ｃ）は全体斜視図であり、図８（Ｄ）は図８（Ｃ）のＤ−Ｄ線断面図であって、該十字ジョイントは、十字型の底板の縦底板の両端縁から、傾斜側辺を、型成形性（型抜き可能性）の観点から、断面６０°拡開形態に立設して上下の嵌入用垂直辺を形成し、横底板の四周端縁から、側板を立設して箱型の水平当接部とし、上部垂直辺と、下部垂直辺と、中央の左右の水平当接部を底板で一体化して形成し、且つ、上下垂直辺及び左右水平当接部の基部を水平仕切と垂直仕切で補強した、プラスチック一体化成型品である。
【０００５】
図９は、アキレスＫＤパネル（商品名）の使用形態説明図であって、図９（Ａ）は、パネルの条溝への十字ジョイント挿入形態横断面図、図９（Ｂ）は十字ジョイントを挿入した横目地部分でのパネル上下接続部縦断面図、図９（Ｃ）は十字ジョイントの存在しない横目地部分でのパネル上下接続部縦断面図である。
即ち、複合パネルの上下接続に際し、十字ジョイントは、図９（Ａ），（Ｂ）に示す如く、底板の垂直辺を条溝の断熱層に摺接形態に、下部垂直辺を下部パネルの上端から条溝に、上部垂直辺を上部パネルの下端から条溝に嵌入し、上下パネル間には水平当接部の上下幅の横目地を形成し、上下左右接続した複合パネル面をコンクリート壁外側型枠としてコンクリート打設するものである。
【０００６】
該パネル間の横目地は、図９（Ｂ），（Ｃ）に示す如く、上下断熱層間には高発泡ポリエチレン板を介在し、十字ジョイントの水平当接部の箱内、及び上下水平仕切内の空間には、プラスチックのバックアップ材を充填し、十字ジョイントの存在しない横目地の上下条溝間にも、プラスチックの長尺バックアップ材を延展充填し、バックアップ材の前面に仕上げのシーリングを充填して横目地を形成している。
該従来例（図８、図９）で形成したコンクリート躯体は、外断熱となり、複合パネルのセメント板の各条溝群も、上下端間がバックアップ材で閉止されて空気断熱層として機能する。
【非特許文献１】アキレス株式会社発行「アキレスＫＤパネルの型禄（番号Ｆ−０１．１．１０）」
【非特許文献２】アキレス株式会社発行「アキレスＫＤパネルのパンフレット（番号１−１．９８．９）」
【非特許文献３】アキレス株式会社発行「アキレスＫＤパネル技術資料」
【発明の開示】
【発明が解決しようとする課題】
【０００７】
従来例の複合パネルにあって、セメント板は、当初、型枠併用の外装下地材として開発され、条溝の存在によってセメント板自体の軽量化と共に、打設コンクリートとの固着力増強を計ったものであり、横貼り工法に採用する際に、８０°傾斜側辺側を上に、６０°傾斜側辺側を下に型組みすることにより、コンクリート打設時に６０°傾斜辺側でも、コンクリート打設圧によりコンクリートが廻り込み、上側条溝では８０°傾斜辺が空気の流れをスムーズとし、セメント板と打設コンクリートとの固着を確実としたものである．
そして、コンクリート躯体の外断熱化の研究開発機運の流れにより、該セメント板に、単に断熱層を密着して、型枠併用の外断熱用複合パネルとしたものが、アキレスＫＤパネル（商品名）として提供され、密着型複合パネルとして普及している。
【０００８】
従って、従来例にあっては、複合パネルは、密着層型複合パネルであって、コンクリート躯体を外断熱被覆出来るものではあるが、複合パネルの断熱層とセメント板との界面に通気機能が無いため、断熱層とセメント板との界面で内部結露を生じ、結露の凍結、蒸発の反復によって、界面剥離、及び材質劣下を生じる問題、外装下地材としてのセメント板及び外装材のヒートストレスによる劣下の問題がある。
また、十字ジョイントも、型成形の作業性（型抜き容易性）から、上下垂直辺の傾斜側辺が拡開形態であり、図９（Ａ）の如く、条溝内へ嵌入する際は、底板が断熱層と摺接し、十字ジョイントは、図９（Ｂ）の如く、上下パネル間での横目地間隔では、箱形態の空間が前面に存在するため、横目地シーリングを施工するに際し、バックアップ材を十字ジョイントの空間内に充填する細かな手作業が必要である。
しかも、図９（Ａ）の如く、一方の傾斜側辺は条溝の側辺と同角度であるが、他方の傾斜側辺は条溝側辺と三角空間を保つ形態での嵌合であって、ガタが発生し、十字ジョイントへの上方パネルの吊下げ嵌合作業時に、パネルが外れ易く、パネルの上下接続作業性が悪い。
【０００９】
また、該十字ジョイントは、セメント板の条溝内に嵌入すれば条溝の上下空気連通を遮断するものであり、通気性断熱複合パネルに適用すれば、十字ジョイント嵌入部で通気性を阻害するものである。
本発明は、上述の如き、密着層型の複合パネルでの問題点、及び十字ジョイントの問題点を画期的に解決、改善するものであり、新規な十字ジョイントを採用し、通気性複合パネルをコンクリート壁型枠併用することにより、コンクリート躯体を外断熱とすると共に、パネル全面に均斉な通気機能を付与し、断熱層の内部結露抑制と、外装材及び外装下地材（セメント板）のヒートストレスによる劣下も抑制出来る、画期的な外断熱壁構造を提供するものである。
【課題を解決するための手段】
【００１０】
本発明は、例えば図１（Ａ）に示す如く、内面に条溝Ｇ，Ｇ´群を備えた成形セメント板１Ａと断熱層１Ｂとを層着した密着型の通気性断熱パネル１を、鉄筋コンクリート造建物の壁Ｗの外面に張設した外断熱壁構造であって、通気性断熱パネル１の上下接続は、例えば図５、図６、図７に示す如く、両側に水平当接片５Ｍ，６Ｍ，１０Ｍ，１１Ｍを突設し、中央に、上方嵌入用垂直片５Ｆ，６Ｆ，１０Ｆ，１１Ｆ、及び下方嵌入用垂直片５Ｆ´，６Ｆ´，１０Ｆ´，１１Ｆ´を備え、且つ、上下の嵌入用垂直片の内側には空気連通溝ＧＡを備えた十字ジョイント５，６，１０，１１の各垂直片を、下方パネル１の上端の条溝Ｇからは下方の嵌入用垂直片を、上方パネル１の下端の条溝Ｇからは上方の嵌入用垂直片を、それぞれ対向する条溝Ｇ内に嵌入し、上下の通気性断熱パネル１を、対向各条溝Ｇ，Ｇ´の通気機能を保持して張設した、鉄筋コンクリート造建物の外断熱壁構造に関するものである。
【００１１】
この場合、十字ジョイントの水平当接片５Ｍ，６Ｍ，１０Ｍ，１１Ｍは、下方パネル１のセメント板１Ａ上端面と、上方パネル１のセメント板１Ａ下端面とに当接挟着されるものであるため、各側方への突出長Ｘ３は、十字ジョイント嵌入条溝Ｇの側方の条溝Ｇ´に干渉しない長さとすれば良い。
また、「嵌入用垂直片の内側」とは、嵌入用垂直片の断面形態が、底板と、底板の側縁から傾斜立設した両側板との略コ字形態であるため、底面と両側板とで囲まれた内側空間の意である。
また、通気性断熱パネル１の壁Ｗの外面への「張設」は、壁Ｗを外断熱構造とすれば良く、コンクリート壁Ｗに界面空気流が生じないように断熱層を付設すれば良く、典型的には、通気性断熱パネル１を壁の外側型枠に兼用してコンクリート壁Ｗを打設する。
【００１２】
また、上下接続部での対向各条溝Ｇ，Ｇ´の通気機能の保持は、図１（Ａ）の如く、各パネル１間の上下接続目地ｄｘ、左右接続目地ｄｙが、慣用の目地シーリング付与となるため、各パネル１での条溝Ｇ，Ｇ´を閉止しなければ、各条溝Ｇ，Ｇ´群は全て通気機能が保持出来る。
従って、本発明は、条溝Ｇ，Ｇ´群を内部に並列縦設した通気性断熱パネル１がコンクリート壁Ｗを外断熱保護し、且つ、各パネル１の上下接続部での十字ジョイント嵌入部での条溝Ｇすら空気連通を果すため、パネル１の全面に亘って均斉な通気性が確保出来、パネル１の断熱層１Ｂとセメント板１Ａとの界面の内部結露が抑制出来ると共に、セメント板１Ａ及びセメント板１Ａへ付設する外装材へのヒートストレス劣下も抑制出来、外断熱でありながら耐久性に優れた、画期的な、省エネルギー高性能の外断熱鉄筋コンクリート建物の提供を可能とする。
【００１３】
また、本発明の通気性断熱パネル１は、断熱層１Ｂが、図２（Ａ）の如く、セメント板１Ａに対し、一側では大寸法ｄ２´（標準：２０mm）突出し、他側では小寸法ｄ１´（標準：１０mm）入り込み、上端では大寸法ｄ２（標準：４０mm）突出し、下端では小寸法ｄ１（標準：２０mm）入り込んでおり、セメント板１Ａの条溝Ｇ，Ｇ´群は、図３（Ａ），（Ｂ）の如く、少なくとも、両端の条溝Ｇ及び中央の肉厚部１Ｄの両側の条溝Ｇが、底面ＧＢと、左右の等角度θで内向する傾斜側辺ＧＳと、上端の開口部ＧＦを備えた断面台形であるのが好ましい。
【００１４】
この場合、標準のパネル１にあっては、セメント板１Ａの幅ＡＷは４９０mmで、断熱層１Ｂの幅ＢＷは５００mmであり、パネル１の厚さＴ１は１００mm、セメント板１Ａの厚さＴ２は２５mm、断熱層１Ｂの厚さＴ３は７５mmであり、条溝Ｇ，Ｇ´の深さＴ５が１３mm、板状部１Ｃの厚さＴ４が１２mmであり、十字ジョイント嵌入用の条溝Ｇは、図３（Ｂ）の如く、両側の傾斜側辺ＧＳが内向きの６０°傾斜であり、溝底面ＧＢの幅ｗｂは４２．８mmである。
【００１５】
従って、通気性断熱パネル１でコンクリート壁Ｗを外断熱に被覆するに際しては、各パネル１の上下左右接続は、各断熱層１Ｂ相互を密接形態に衝接することが必要であり、本発明パネル１を用いれば、上下パネル接続部では、大寸法ｄ２−小寸法ｄ１の寸法の横目地ｄｘが、左右パネル接続部では、大寸法ｄ２´−小寸法ｄ１´の寸法の縦目地ｄｙが、且つ、各パネル１相互が上下左右の相欠け接続により張設出来、打設コンクリートの断熱層１Ｂ当接界面からの浸出もセメント板１Ａ面で阻止出来る。
しかも、条溝Ｇも、底面ＧＢの幅ｗｂが大寸で開口部ＧＦの幅ｗｆが小寸形態であるため、板状部１Ｃ外面での断熱層１Ｂへの十分な接着面積の確保の下に、十字ジョイントの嵌入用垂直片の嵌入後の外れの危険が抑制出来、十字ジョイント嵌入用の十分なスペース、及び十分な空気流通断面積が確保出来、請求項１の発明が好適に実施出来る。
【００１６】
また、十字ジョイント５，６，１０，１１は、図５、図６、図７に示す如く、上方嵌入用垂直片５Ｆ（６Ｆ，１０Ｆ，１１Ｆ）と下方嵌入用垂直片５Ｆ´（６Ｆ´，１０Ｆ´，１１Ｆ´）とが底板５Ｄ（６Ｄ，１０Ｄ，１１Ｄ）で一体化し、上下の嵌入用垂直片は、断面外形が、底板５Ｄ（６Ｄ，１０Ｄ，１１Ｄ）と両側の等角度で内向する傾斜側板５Ｓ（６Ｓ，１０Ｓ，１１Ｓ）とを備えた上端開放の台形であり、傾斜側板の外面の傾斜角θが、セメント板１Ａの条溝Ｇの傾斜側辺ＧＳの傾斜角θと同一であって、底板外面Ｏｓの幅Ｘ２は条溝Ｇの底面ＧＢに対し左右調整動可能寸法であり、上下の嵌入用垂直片の底板をセメント板１Ａの条溝Ｇの底面ＧＢ側にして配置するのが好ましい。
【００１７】
この場合、条溝Ｇの底面ＧＢの幅ｗｂ（標準：４２．８mm）に対し、嵌入用垂直片５Ｆ，５Ｆ´（６Ｆ，６Ｆ´，１０Ｆ，１０Ｆ´，１１Ｆ，１１Ｆ´）の底板５Ｄ（６Ｄ，１０Ｄ，１１Ｄ）の外面幅Ｘ２（標準：３８mm）を５mm前後小さく設定すれば、図３（Ｃ）の如く、十字ジョイント５はセメント板１Ａの条溝Ｇ内で左右調整動可能となり、上下パネル１の若干の左右位置ずれに対しても、十字ジョイント５の上下の嵌入用垂直片５Ｆ，５Ｆ´（６Ｆ，６Ｆ´，１０Ｆ，１０Ｆ´，１１Ｆ，１１Ｆ´）のジョイント嵌入がスムーズに遂行出来る。
【００１８】
また、十字ジョイント５は、嵌入用垂直片の断面形状が台形で、底辺側が底板であるため、強度確保上有利である。
しかも、十字ジョイント５は、底板５Ｄ（６Ｄ，１０Ｄ，１１Ｄ）を条溝Ｇの底面ＧＢ側として嵌入するため、図４（Ａ）に示す如く、底板５Ｄの外面Ｏｓは、下方パネルのセメント板１Ａ上端と、上方パネルのセメント板１Ａ下端との間に、水平当接片５Ｍ（６Ｍ，１０Ｍ，１１Ｍ）の上下方向幅Ｙ２（Ｙ２´）で形成される目地ｄｘの間隔での条溝底面ＧＢを閉止し、水平当接片の底板外面Ｏｓがバックアップ機能を奏することにより、横目地ｄｘのシーリング４の充填作業が容易となる。
【００１９】
また、本発明にあっては、通気性断熱パネル１の上下接続部では、十字ジョイント５，１０の水平当接片５Ｍ（１０Ｍ）が上下成形セメント板１Ａ間の横目地ｄｘ間隔を規定し、左右各十字ジョイント５（１０）間の横目地ｄｘ間隔には、水平当接片５Ｍ（１０Ｍ）の上下幅Ｙ２と同高の、図２（Ｂ）に示すハニカムバッカー２を、条溝Ｇ，Ｇ´群上に延展介在させ、上下パネル１相互の対向条溝Ｇ，Ｇ´群の通気機能を保証するのが好ましい。
この場合、ハニカムバッカー２は、図２（Ｂ）の如く、高さ２ｈが水平当接片５Ｍと同高であり、且つ前後幅２ｗが、図４（Ｂ）に示す如く、セメント板１Ａの条溝幅Ｔ５（標準：１３mm）と同寸法とすれば良い。
従って、上下パネル１間の横目地ｄｘ間隔は、セメント板１Ａの条溝Ｇ，Ｇ´群上がハニカムバッカー２の外面と十字ジョイントの底板５Ｄ（１０Ｄ）外面とで仕切られるため、必要に応じて、図４（Ａ）に示す如く、水平当接片５Ｍの外面Ｏｓ幅のテープ状のバックアップ材３を十字ジョイント５，１０の外面に貼着し、シーリング４の横目地ｄｘ間隔への充填処理をすれば、上下パネル１相互は、各条溝Ｇ，Ｇ´が、ハニカムバッカー２及び十字ジョイント５，１０の嵌入用垂直片で、空気の上下連通可能となり、コンクリート壁Ｗは、全条溝Ｇ，Ｇ´が通気機能を備えた外断熱被覆となる。
【００２０】
また、十字ジョイント５，１０の横目地ｄｘ間隔での露出外面Ｏｓにバックアップ材３を貼着し、ハニカムバッカー２及びバックアップ材３の前面にシーリング４を充填して横目地ｄｘを形成するのが好ましい。
この場合、バックアップ材３としては、薄肉（標準：２mm厚）で可撓性のプラスチック板を用いれば良い。
従って、バックアップ材３は、条溝Ｇ内で、前後に若干（１mm前後）ガタつき、底板５Ｄ（１０Ｄ）と条溝底面ＧＢ間に生ずる空隙を完全に閉止出来、シーリング４の条溝Ｇ内への浸入が阻止出来、きれいな横目地ｄｘのシーリングとなる。
【００２１】
また、請求項１の発明に用いる十字ジョイント５（６，１０，１１）は、例えば図５、図６、図７に示す如く、縦方向の底板５Ｄ（６Ｄ，１０Ｄ，１１Ｄ）の両側端縁から傾斜側板５Ｓ（６Ｓ，１０Ｓ，１１Ｓ）を、断面外形が、底板を底面として等角度θで内方に傾斜し、上端開放した台形に起立して、上方嵌入用垂直片５Ｆ（６Ｆ，１０Ｆ，１１Ｆ）及び下方嵌入用垂直片５Ｆ´（６Ｆ´，１０Ｆ´，１１Ｆ´）を構成し、両側の傾斜側板５Ｓ（６Ｓ，１０Ｓ，１１Ｓ）と底板５Ｄ（６Ｄ，１０Ｄ，１１Ｄ）とで囲まれる内側を上下方向に連通する空気連通溝ＧＡとし、且つ、両側傾斜側板５Ｓ（６Ｓ，１０Ｓ，１１Ｓ）の中間からは、両側に水平当接片５Ｍ（６Ｍ，１０Ｍ，１１Ｍ）を突設したものである。
【００２２】
この場合、水平当接片５Ｍ（６Ｍ，１０Ｍ，１１Ｍ）は、上下パネルの各セメント板１Ａ端間に当接挟着されるものであるため、水平当接片５Ｍ（６Ｍ，１０Ｍ，１１Ｍ）は、側方の条溝Ｇ´に干渉しない突出長Ｘ３（標準：１８．５mm）とすれば良く、その傾斜側板からの突設位置は、上下の嵌入用垂直片が、共に、条溝Ｇへの十分な嵌入長を備える位置とすれば良く、標準タイプにあっては、上方嵌入垂直片５Ｆ（６Ｆ，１０Ｆ，１１Ｆ）の高さＹ３は５０mm、下方嵌入垂直片５Ｆ´（６Ｆ´，１０Ｆ´，１１Ｆ´）の高さＹ４は３０mmである。
従って、本発明の十字ジョイント５（６，１０，１１）を用いて上下パネル１相互を上下接続すれば、水平当接片５Ｍ（６Ｍ，１０Ｍ，１１Ｍ）が、上下のパネルセメント板１Ａの端面で圧接挟着されて、パネル１のストッパー兼支持体となり、水平当接片５Ｍ（６Ｍ，１０Ｍ，１１Ｍ）の上下方向幅Ｙ２，Ｙ２´が横目地ｄｘの間隔を規定すると共に、十字ジョイント５（６，１０，１１）の外面Ｏｓがシーリング充填のバックアップ機能も発揮するため、パネルの上下接続作業も、横目地ｄｘの形成及びシーリング充填作業も合理的に実施出来る。
【００２３】
また、十字ジョイントを嵌入したセメント板条溝Ｇにあっても、空気連通溝ＧＡを介して通気機能を奏し、通気性断熱パネル１の全条溝Ｇ，Ｇ´が通気機能を発揮して、パネル全面の均斉な、内部結露防止と、外装材及び外装下地材（セメント板）のヒートストレス劣下を抑制し、コンクリート壁Ｗが均質で、高耐久性に外断熱被覆されたコンクリート外壁となり、請求項１の発明が好適に実施出来る。
しかも、上下の嵌入用垂直片が底板と、両側の傾斜側板５Ｓ（６Ｓ，１０Ｓ，１１Ｓ）で断面台形であるため、断熱層１Ｂへの接着性と通気性を兼備したセメント板１Ａの断面台形条溝Ｇへの嵌入用垂直片の嵌合が、嵌入作業が容易、且つ、外れ難い嵌合となり、通気機能の断面損失も最少限に抑えて好適に実施出来る。
【００２４】
また、十字ジョイントは、水平当接片５Ｍ，１０Ｍが、横目地ｄｘ形成用の上下幅Ｙ２を有する底板５Ｄ，１０Ｄと、底板縁から起立した側板５Ｐ，１０Ｐとの箱形態であるのが好ましい。
この場合、底板５Ｄ，１０Ｄの上下幅Ｙ２は、設計横目地ｄｘによって決定すれば良く、標準は２０mmであり、水平当接片５Ｍ，１０Ｍの側方への突出長Ｘ３も、図３（Ｃ）に示す如く、側方の条溝Ｇ´と干渉しない長さとすれば良く、標準のＸ３は１８．５mmである。
従って、水平当接片５Ｍ，１０Ｍは箱形態によって剛構造となり、金属はもとより、プラスチック材でも比較的に肉厚の薄い（標準：３mm）一般肉厚で形成出来る。
【００２５】
また、水平当接片６Ｍ，１１Ｍは、図６（Ｄ）、図７（Ｃ）の如く、板体としても良い。
この場合、水平当接片６Ｍ，１１Ｍの上下幅Ｙ２´、即ち、板体の厚さＹ２´は、標準３mmであり、該十字ジョイント６，１１は、例えば、出願人が特願２００５−２９８８９２号、及び特願２００５−３１２７８０号で提案した、鉄筋コンクリート造外断熱建物への片持ち支持バルコニーの付設に関する発明等、通気性断熱パネル１の上下接続を、横目地間隔を出来るだけ抑制して実施する場合での採用に適しており、該十字ジョイント６，１１を採用すれば、上下パネル１の接続は、水平当接板６Ｍ，１１Ｍの板厚Ｙ２´（標準：３mm）でのセメント板１Ａの間隙で達成出来、該十字ジョイント６，１１は、上下パネル１間の、横目地ｄｘへのシーリング４の充填の困難な上下連結等、上下パネル１間の接続空隙をゴム紐等で閉止するのが好ましい上下接続には、上下条溝Ｇの通気機能を保証した形態で好適に採用出来る。
【００２６】
また、十字ジョイント５，６にあっては、図５、図６に示す如く、上下の嵌入用垂直片５Ｆ，５Ｆ´，６Ｆ，６Ｆ´は、傾斜側板５Ｓ，６Ｓが、上下端に先端方向に挟まるテーパー部５Ｓ´，６Ｓ´を備え、テーパー部５Ｓ´，６Ｓ´の切欠き５Ｃ，６Ｃで空気連通溝ＧＡを形成するのが好ましい。
この場合、テーパー部５Ｓ´，６Ｓ´によって空気連通溝ＧＡは若干の断面損失を生ずるが、十字ジョイント５，６の嵌入された条溝Ｇは、外壁面の最下端から最上端までの連通構造となるため、ドラフト換気力によって最少限必要な通気機能は発揮出来る。
しかし、テーパー部５Ｓ´，６Ｓ´の存在により、十字ジョイント５，６と、上下パネル１との嵌入作用がスムーズとなる。
【００２７】
また、上下の嵌入用垂直片は、図５、図６に示す如く、テーパー部５Ｓ´，６Ｓ´の外縁ｔ５，ｔ６は、先端に向う底板５Ｄ，６Ｄ方向への傾斜縁であり、上下端部での切欠き５Ｃ，６Ｃによって補強用の上端片５Ｔ，６Ｔ及び下端片５Ｂ，６Ｂを形成するのが好ましい。
この場合、テーパー部５Ｓ´，６Ｓ´の存在は、十字ジョイント５，６とパネルセメント板条溝Ｇとの嵌入作用がスムーズに遂行出来るが、同時に、図５（Ｂ）に示す如く、十字ジョイント内側の空気連通溝ＧＡに対する断面損失を生ずる。
【００２８】
しかし、テーパー部５Ｓ´，６Ｓ´の外縁ｔ５，ｔ６がテーパー形態であるため、空気連通溝ＧＡの断面損失が小さく出来ることと、図５（Ｂ）に示す如く、上下端部での、中間から底板５Ｄ側への垂直の切欠き５Ｃ，６Ｃがテーパー部５Ｓ´，６Ｓ´による空気連通溝ＧＡの断面積の狭小化を抑制すること、とが相俟って、テーパー部５Ｓ´，６Ｓ´の存在による空気連通溝ＧＡの断面損失が最少限に抑制出来る。
従って、十字ジョイント５，６は、必要な空気貫流機能を備え、且つ、パネル１への嵌入が容易で、切欠き５Ｃ，６Ｃ位置から上下端片５Ｔ（６Ｔ）、５Ｂ（６Ｂ）へと連なる底板５Ｄ端部と一体となった細幅縁が補強リブ機能を奏して剛性も付与出来て、強度も保証されたものとなり、一般肉厚の薄い（標準：３mm）成型品として提供可能となる。
【００２９】
また、十字ジョイントは、図７に示す如く、両側の傾斜側板１０Ｓ，１１Ｓは、外面Ｏｆ及び内面ｉｆが、上端から下端まで平坦面であって、断面形態が、大寸ｄｂの基端ｂ１０，ｂ１１から小寸ｄｆの先端ｅ１０，ｅ１１へとテーパー形態であり、且つ、上下端縁ｔｓは、底板１０Ｄ，１１Ｄ側から先端ｅ１０，ｅ１１へと中央方向に傾斜しているのが好ましい。
この場合、傾斜側板１０Ｓ（１１Ｓ）の内面ｉｆが底板１０Ｄ（１１Ｄ）面に直角で立設させるのが型成形上も有利である。
【００３０】
従って、本発明十字ジョイント１０，１１にあっては、上下端縁ｔｓが傾斜しているため、パネルセメント板１Ａの条溝Ｇへの嵌入がスムーズであり、しかも、垂直片１０Ｆ，１０Ｆ´（１１Ｆ，１１Ｆ´）の尖端としての上下端縁ｔｓの基端ｂ１０（ｂ１１）が肉厚で底板１０Ｄ（１１Ｄ）と一体化しているため、嵌入先導部としての先端が十分な剛性を備え、パネル１への嵌入作業が容易であって、セメント板条溝Ｇの底面ＧＢとの確実な嵌合状態が維持出来、上方からの嵌入パネル１も外れないように保持出来る。
しかも、両側の傾斜側板の内面ｉｆ及び底板１０Ｄ（１１Ｄ）内面で囲まれた空気連通溝ＧＡは、上端から下端まで均等断面積の平坦内面で囲まれているため、空気の流動抵抗も少なく、空気貫流機能の優れたものとなる。
【００３１】
また、本発明の十字ジョイント５，６，１０，１１にあっては、図５、図６、図７に示す如く、上方の嵌入用垂直片５Ｆ（６Ｆ，１０Ｆ，１１Ｆ）の長さＹ３が下方の嵌入用垂直片５Ｆ´（６Ｆ´，１０Ｆ´，１１Ｆ´）の長さＹ４より大寸であるであるのが好ましい。
本発明に採用する通気性断熱パネル１は、上下、左右接続を相欠け接続するのが有利であり、図４（Ａ）に示す如く、十字ジョイントを下方パネル上端に嵌入すれば、上方パネル１にあっては、断熱層１Ｂ下端はセメント板１Ａ下端より相欠け長ｄ１（標準：２０mm）上方位置を占める。
【００３２】
そして、上方嵌入用垂直片５Ｆを下方嵌入用垂直片５Ｆ´より、相欠け長ｄ１だけ長寸に形成しておくことにより、上方パネル１の十字ジョイント５への嵌め込み作業時に、上方嵌入用垂直片５Ｆの外れが抑制出来る。
従って、上方嵌入用垂直片５Ｆの長さＹ３を下方嵌入用垂直片の長さＹ４より、実質上、パネル下端の断熱層１Ｂとセメント板１Ａとの相欠け接続用段差ｄ１分だけ長く設定することにより、上方パネルの十字ジョイントへの嵌合作業が安全に実施出来る。
【発明の効果】
【００３３】
本発明は、内面に条溝Ｇ，Ｇ´群を備えた成形セメント板１Ａと断熱層１Ｂとを層着した通気性断熱パネル１を、空気連通溝ＧＡを備えた十字ジョイント５（６，１０，１１）で上下接続して外壁Ｗに張設するため、上下接続パネル１は、十字ジョイントを嵌入した条溝Ｇを含め、全ての条溝Ｇ，Ｇ´群が空気連通作用を奏するように連続して外壁Ｗに張設出来、全パネルが均斉に通気して、外装下地材としてのパネルセメント板１Ａ及び、セメント板１Ａ外面の外装材の日射による高温化が抑制出来、パネル及び外装材は、ヒートストレスによる劣下が抑制出来て耐久性が向上する。
【００３４】
しかも、パネル１の断熱層１Ｂとセメント板１Ａとの層着界面に条溝Ｇ，Ｇ´群が存在し、各条溝Ｇ，Ｇ´への通気によって、断熱層１Ｂの内部結露も抑制出来るため、パネル１内での内部結露の発生、結露の凍結・蒸散の反復によるセメント板１Ａと断熱層１Ｂの界面剥離も抑制出来、外壁Ｗの耐久性は向上する。
そして、コンクリート外壁Ｗは、全面が通気して高温化の抑制されたパネル１により外断熱構造で被覆されるため、耐久性に優れた外断熱構造となり、省エネルギーで高性能な鉄筋コンクリート造建物の提供を可能とする。
【００３５】
また、十字ジョイントも、底板５Ｄ（６Ｄ，１０Ｄ，１１Ｄ）と、両側の傾斜側板５Ｓ（６Ｓ，１０Ｓ，１１Ｓ）で断面台形の嵌入用垂直片を備えているため、セメント板１Ａの断熱層１Ｂへの接着面を大とし、且つ、条溝断面積を大としたために、パネルセメント板１Ａの断面台形の条溝Ｇへの嵌入作業が容易で、嵌入作業時にパネル１の外れの発生も抑制出来る。
そして、上下嵌入用垂直片が内側に空気連通溝ＧＡを備えているため、上下パネル１相互の接続は、パネル１の全条溝Ｇ，Ｇ´群が通気機能を発揮出来る上下接続となり、請求項１の、鉄筋コンクリート造建物の外断熱壁構造の発明が好適に実施出来る。
【発明を実施するための最良の形態】
【００３６】
〔通気性断熱パネル（図２、図３）〕
図２（Ａ）は、パネル１の斜視図であり、図３（Ａ）はパネルの横断面図、図３（Ｂ）はパネルの横断面の部分拡大図である。
通気性断熱パネル１は、図３（Ａ）に示す如く、セメント板１Ａの内面に通気用条溝Ｇ，Ｇ´を多数並列縦設し、該セメント板１Ａの条溝Ｇ，Ｇ´群面に、各条溝Ｇ，Ｇ´の開放口面を面閉止するように、断熱層１Ｂを層着したものであり、セメント板１Ａの幅Ａｗが４９０mm、断熱層１Ｂの幅Ｂｗが５００mmであり、標準パネルでは、セメント板１Ａの高さＡｈが２６８０mmであって、断熱層１Ｂは、セメント板１Ａに対し、上端ではｄ２（標準：４０mm）突出し、下端ではｄ１（標準：２０mm）入り込み、一側ではｄ２´（標準：２０mm）突出し、他側ではｄ１´（標準：１０mm）入り込んだ一体化層着物である。
【００３７】
そして、断熱層１Ｂは、厚さＴ３が７５mmの発泡プラスチック系断熱板（ＪＩＳ９５１１の硬質ウレタンフォーム）であり、セメント板１Ａは、厚さＴ２が２５mmであり、パネル厚Ｔ１は１００mmである。
また、セメント板１Ａの条溝Ｇ，Ｇ´の配列は、図３（Ａ）の如く、両端と中央の肉厚部１Ｄの両側の計４個を断面台形の条溝とし、その他を断面矩形条溝Ｇ´として、１枚のセメント板１Ａに計８個配置する。
中央の肉厚部１Ｄの両側にも断面台形条溝Ｇを配置したのは、必要に応じて、セメント板１Ａを中央の肉厚部１Ｄで裁断して、半幅としての使用を可能とするためである。
【００３８】
各条溝Ｇ，Ｇ´群は、図３（Ｂ）の如く、セメント板１Ａの厚さＴ１が２５mmのうち、深さＴ５が１３mmで配置し、セメント板１Ａの板状部１Ｃの厚さＴ４は１２mmである。
そして、十字ジョイント嵌入用の条溝Ｇは、図３（Ｂ）の如く、幅ｗｂが４２．８mmの底面ＧＢと、幅ｗｆが３２．２mmで閉口した開口部ＧＦを備え、両側の傾斜側辺ＧＳは、傾斜角θが６０°である。
また、セメント板１Ａへの条溝の幅割り振りは、図３（Ａ）の如く、両側の肉厚部ａ３を４５mm、中央の肉厚部ａ４を４０mmとし、開口幅ａ１の通気用条溝Ｇ´を間隔ａ２で均等配分する。
【００３９】
〔ハニカムバッカー（図２（Ｂ））〕
ハニカムバッカー２は、図４（Ｂ）の如く、条溝Ｇ，Ｇ´群の存在する位置で、パネル１の上下接続の上下セメント板１Ａの端面間に配置し、横目地ｄｘへのシーリング４の充填による条溝Ｇ，Ｇ´上への浸入を阻止するバックアップ材である。
従って、図２（Ｂ）に示す如く、前後の側板２Ｓの間隔を多数の仕切２Ｐで補強したプラスチックシート製品であり、高さ２ｈが横目地ｄｘの高さ間隔に対応し、幅２ｗが条溝Ｇ，Ｇ´群の幅Ｔ５に対応したものであり、宇部日東化成（株）製の、厚さ１２mm、幅１２２０mm、長さ１８２０mmの梱包材としてのタンブレート（商品名）を、適宜の長さと高さに切断して準備する。
【００４０】
〔十字ジョイント５（図５、図６）〕
図５（Ａ）は、十字ジョイント５の全体斜視図であり、図５（Ｂ）は図５（Ａ）の矢印Ｂ視図であり、図５（Ｃ）は、図５（Ａ）の矢印Ｃ視図であり、図６（Ａ）は、図５（Ａ）のＸ−Ｘ線横断面図であり、図６（Ｂ）は、図５（Ａ）のＹ−Ｙ線縦断面図であり、図６（Ｃ）は図５（Ａ）のＺ−Ｚ線横断面図である。
十字ジョイント５は、図５（Ａ）に示す如く、上方の嵌入用垂直片５Ｆと下方の嵌入用垂直片５Ｆ´と上下垂直片５Ｆ，５Ｆ´を仕切る形態の側方へ突出した両側の水平当接片５Ｍとを備えた、一般肉厚３mmのポリアセタール樹脂成形品である。
【００４１】
そして、上下の垂直片５Ｆ，５Ｆ´と左右の水平当接片５Ｍとは、十字形で、上下端が幅狭に傾斜した底板５Ｄで一体となっており、水平当接片５Ｍは、図４（Ａ）に示す如く、十字ジョイント５の下方の垂直片５Ｆ´を下方のパネル１のセメント板１Ａの条溝Ｇに嵌入した状態で、上方パネル１の条溝Ｇを上方垂直片５Ｆに嵌合した際に、上方パネルのセメント板１Ａ下端を当接保持し、上下パネル間に水平支持片の上下幅Ｙ２の間隔、即ち、横目地ｄｘの間隔を形成するものである。
従って、水平当接片５Ｍは、図５（Ａ）に示す如く、底板５Ｄを底面とし、上縁、下縁、側縁から突出長Ｚ１が１１．８mmの側板５Ｐを連設して箱形態とし、内側の付け根部にも、幅Ｚ４が１０mmの補強用の仕切片５Ｐ０を備えたものである。
【００４２】
また、上下の嵌入用垂直片５Ｆ，５Ｆ´は、同一構造であって長さが異なるだけであり、図５（Ｃ）に示す如く、十字ジョイント５の全高Ｙ１は１００mm、上方垂直片５Ｆの長さＹ３は５０mm、下方垂直片５Ｆ´の長さＹ４は３０mm、水平当接片５Ｍの上下幅Ｙ２は２０mmである。
また、上下垂直片５Ｆ，５Ｆ´は、図６（Ａ）に示す如く、底板５Ｄの側縁から起立し、外辺が内向きに傾斜した傾斜側板５Ｓを備え、傾斜側板５Ｓの上下端は、図５（Ａ）に示す如く、先端方向に内向するテーパー部５Ｓ´を形成し、テーパー部５Ｓ´の外縁ｔ５を先端に向う底板５Ｄ方向への傾斜縁とし、外縁ｔ５の中間から底板５Ｄの方向への切欠き５Ｃによって、テーパー部５Ｓ´の上半を底板５Ｄの傾斜縁上半から上端縁に連なって内側に小寸で起立するリブ形態とし、上下各嵌入用垂直片５Ｆ，５Ｆ´の先端部を補強リブで強化した形状である。
傾斜側板５Ｓ自体は、図６（Ａ）の如く、型成形性から内面ｉｆは底板５Ｄ面と直角起立とし、角度θ（標準：６０°）の傾斜は、傾斜側板５Ｓの肉厚変化で形成する。
【００４３】
また、金型に樹脂を注入し、樹脂温度が常温にまで下がった時に、垂直片５Ｆ，５Ｆ´の歪が発生するのを抑制するため、図５（Ａ）、図６（Ｂ）に示す如く、上下各垂直片５Ｆ，５Ｆ´の基端の底板５Ｄ内面に幅Ｚ２が５mmで、上下厚さ１．５mmの突起片５Ｐ´を配置する。
また、図２、図３の実施例パネル１に適用する十字ジョイント５の寸法関係は、図５（Ｂ）に示す如く、水平当接片５Ｍ及び嵌入用垂直片５Ｆ（５Ｆ´）の厚さＺ１が１１．８mm，左右全長Ｘ１が７５mmであり、水平当接片５Ｍの左右各突出長Ｘ３は１８．５mmである。
【００４４】
そして、上下の嵌入用垂直片５Ｆ（５Ｆ´）は、断面外形が、基端幅、即ち、セメント板条溝Ｇの底面ＧＢ側の幅、Ｘ２が３８mm、先端幅Ｘ４が２８．４mmで、傾斜側板５Ｓの傾斜角θは６０°であり、両側の傾斜側板５Ｓの内面ｉｆと底板５Ｄ面とで囲う幅Ｘ５が２２mmの空気連通溝ＧＡを備えたものであって、図３（Ｂ），（Ｃ）の如く、セメント板１Ａの、底面幅Ｗｂが４２．８mm、上端開口幅Ｗｆが３２．２mm、深さＴ５が１３mmの条溝Ｇ内へ、若干の左右調整寸法（４．８mm）を保って嵌入可能とする。
【００４５】
〔十字ジョイント６（図６（Ｄ））〕
図６（Ｄ）に示す如く、十字ジョイント６は、十字ジョイント５（図５）の箱形態の水平当接片５Ｍを、板体６Ｍに変更しただけであり、寸法関係も、上下幅Ｙ２が２０mmの箱形態の水平当接片５Ｍを、上下幅Ｙ２´が３mmの板体の水平当接片６Ｍとしたため、全高Ｙ１´が２０mm−３mmの値（１７mm）だけ、十字ジョイント５の全高Ｙ１（１００mm）より短寸化しただけで、上下の嵌入用垂直片６Ｆ，６Ｆ´は、十字ジョイント５の上下の嵌入用垂直片５Ｆ，５Ｆ´と同寸、且つ、同構造である。
そして、十字ジョイント６は、例えば、バルコニーを外断熱外壁に付設する場合等、上下のパネル接続を、横目地ｄｘ幅をなるべく生じないように接続するのに好適なものである。
【００４６】
〔十字ジョイント１０（図７（Ａ））〕
図７（Ａ）は、十字ジョイント１０の全体斜視図であって、図７（Ｂ）は図７（Ａ）のＢ−Ｂ線横断面図である。
十字ジョイント１０は、一般肉厚２mmのアルミ成型品であって、図５に示す十字ジョイント５の上下嵌入用垂直片５Ｆ，５Ｆ´の先端部を、成型容易、且つ、空気流動平滑に改変したものである。
即ち、十字ジョイント１０の上下嵌入用垂直片１０Ｆ，１０Ｆ´は，図７（Ａ），（Ｂ）に示す如く、両側の傾斜側板１０Ｓを上下直線形態とし、断面形状は、底板１０Ｄと一体化した大寸（ｄｂ）の基端ｂ１０から小寸（ｄｆ）の先端ｅ１０へと、外面Ｏｆがセメント板条溝Ｇの傾斜側辺ＧＳの傾斜角θと整合する、角度θ（６０°）で傾斜し、内面ｉｆが底板１０Ｄ面と直角であり、上下嵌入用垂直片１０Ｆ，１０Ｆ´の傾斜側板１０Ｓの各上下端縁ｔｓは、基端ｂ１０から先端ｅ１０へと、中央方向に高さ１０mmで傾斜している。
【００４７】
そして、十字ジョイント１０の寸法関係は、全高Ｙ１が１００mm、上方嵌入用垂直片１０Ｆの高さＹ３が５０mm、下方嵌入用垂直片１０Ｆ´の高さＹ４が３０mm、水平当接片１０Ｍの高さ（上下幅）Ｙ２が２０mmであり、横方向全長Ｘ１が７５mm、各水平当接片１０Ｍの突出長Ｘ３が１８．５mm、各嵌入用垂直片１０Ｆ，１０Ｆ´の基端幅Ｘ２が３８mm、先端幅Ｘ４が２８．４mmである。
そして、図７（Ｂ）に示す如く、上下の嵌入用垂直片１０Ｆ，１０Ｆ´の内側には、底板１０Ｄ面と両側の直立平坦内面ｉｆとで、空気連通溝ＧＡは、深さＧＺが９．８mm、幅Ｘ５が２４mmの上下同一断面の貫通溝形態となり、空気乱流の起因となる突起物が皆無で、スムーズな空気流動を可能とする空気連通溝ＧＡとなる。
従って、上下の嵌入用垂直片１０Ｆ，１０Ｆ´は、空気連通溝ＧＡが最大限の通気機能を備え、且つ、上下端縁ｔｓの傾斜配置によって、パネル条溝Ｇ内への嵌入もスムーズなものとなる。
【００４８】
〔十字ジョイント１１（図７（Ｃ））〕
図７（Ｃ）は、十字ジョイント１１の全体斜視図であり、十字ジョイント１１は、図７（Ａ）の十字ジョイント１０に対して、箱形態の水平当接片１１Ｍのみを、板体の水平当接片６Ｍに変更したものである。
即ち、図７（Ｃ）に示す如く、十字ジョイント１１は、一般肉厚２mmのアルミ成型品であって、上下各嵌入用垂直片１１Ｆ，１１Ｆ´は、両側の傾斜側板１１Ｓが、底板１１Ｄ面から直角で起因する内面ｉｆと、大寸の基端ｄｂから小寸のｄｆへと内向きに傾斜する外面とを備え、上下端では、中央方向に傾斜する傾斜縁ｔｓを備え、水平当接片１１Ｍは、傾斜側板１１Ｓから両側に板材を突出したものである。
【００４９】
そして、寸法関係は、上方嵌入用垂直片１１Ｆと下方嵌入用垂直片１１Ｆ´とが、図７（Ａ）の十字ジョイントのそれと同一であり、図７（Ａ）の十字ジョイント１０の箱形の上下幅Ｙ２が２０mmの水平当接片１０Ｍを、上下幅Ｙ２´が２mm厚の板材としたために、全高Ｙ５（８８mm）が図７（Ａ）の十字ジョイント１０の全高Ｙ１（１００mm）と相違するだけである。
従って、十字ジョイント１１は、十字ジョイント１０と同様に、空気のスムーズな流通を果す空気連通溝ＧＡを備え、且つ、傾斜した上下端縁ｔｓにより、パネル条溝Ｇへの嵌入の容易な十字ジョイントとなり、外壁からバルコニーを突設する場合等、通気性断熱パネル１相互を、横目地ｄｘの間隔発生を抑制して上下接続する際に有用なジョイント金具となる。
【００５０】
〔外断熱外壁の形成（図１）〕
外装材を型枠に兼用してコンクリート壁Ｗの型枠組みする、慣用の型枠組み施行によって、本発明の通気性断熱パネル１を、コンクリート外壁Ｗの外側型枠として、皿ボルト挿入用孔ｈｂ、セパレータ挿入用孔ｈｓを介して慣用の内側型枠（図示せず）とでコンクリート壁Ｗの型枠を構築する。
この場合、各パネル１の並列接続は、断熱層１Ｂ同士を当接衝合して、断熱層１Ｂとセメント板１Ａとの両側の段差ｄ２´（２０mm），ｄ１´（１０mm）により相欠け接続し、セメント板１Ａ間に縦目地ｄｙ間隔を形成する。
【００５１】
また、パネル１相互の上下接続は、下方パネル１の上端の両端の条溝Ｇに、各十字ジョイント５（又は１０）の下方の嵌入用垂直片５Ｆ´（又は１０Ｆ´）を嵌入し、各十字ジョイント５（１０）の水平当接片５Ｍ（１０Ｍ）間には、図１（Ｂ）に示す如く、ハニカムバッカー２を延展配置し、次いで、上方パネル１を、下端の両側の条溝Ｇを各十字ジョイント５（１０）の対応する上方の嵌入用垂直片５Ｆ（１０Ｆ）に嵌入係止する。
この場合、上方の嵌入用垂直片５Ｆ（１０Ｆ）は、下方嵌入用垂直片５Ｆ´（１０Ｆ´）よりパネルの相欠け接続段差ｄ１（２０mm）だけ長尺であるため、上方パネル１は外れる恐れなく嵌入し、上下の断熱層１Ｂを当接衝合形態で、接続係止出来る。
そして、順次、下階から上階へと、通気性断熱パネル１を外型枠としてコンクリート打設し、図１に示す如く、コンクリート外壁Ｗが、通気性断熱パネル１で外断熱に被覆されたコンクリート躯体ＣＦを構築する。
【００５２】
また、各パネル１の上下接続部では、図１（Ｂ）に示す如く、十字ジョイント５（１０）の水平当接片５Ｍ（１０Ｍ）によって、上下セメント板１Ａ間に水平当接片５Ｍ（１０Ｍ）の高さＹ１（２０mm）の間隔が存在するため、水平当接片５Ｍ（１０Ｍ）の前面には、図４（Ａ）に示す如く、シーリングのバックアップ材３として、厚さ２mm前後のプラスチック片を貼着し、図４（Ｂ）の如く、条溝Ｇ層上に配置したハニカムバッカー２とバックアップ材３との前面の横方向間隔にシーリング４を充填し、横目地ｄｘを形成する。
また、図１に示す如く、各パネル１の並列相欠け接続によって生じた、セメント板１Ａ相互間の縦目地ｄｙの間隔は、図４（Ｃ）の如く、パネルの相欠け接続によって、断熱層１Ｂがバックアップ機能を奏するため、単に、慣用のシーリングを充填する。
【００５３】
得られた外壁Ｗは、全面が通気性断熱パネル１で被覆張設され、各パネル内に並列縦設されている各条溝Ｇ，Ｇ´が、十字ジョイント５（１０）を嵌入した条溝を含め、全て、最下端パネルから最上端パネルまで空気連通形態となるため、パネル全面の均斉な通気（ドラフト換気）により、外装材（パネルセメント板）の日射によるヒートストレスが抑制出来て、耐久性が向上すると共に、パネル内全面通気によるパネル内結露が抑制出来、内部結露の凍結、融解蒸散の反復による、セメント板１Ａと断熱層１Ｂとの界面剥離も抑制出来て、耐久性が向上する。
従って、得られる鉄筋コンクリート建物は、高耐久性の外断熱構造となり、省エネルギーで高品質な建物となる。
【図面の簡単な説明】
【００５４】
【図１】本発明の外壁の説明図であって、（Ａ）は斜視図、（Ｂ）は、（Ａ）のＢ部正面図である。
【図２】本発明に用いる部材の説明図であって、（Ａ）は、パネル斜視図、（Ｂ）は、ハニカムバッカー斜視図である。
【図３】本発明のパネル説明図であって、（Ａ）は横断面図、（Ｂ）は、（Ａ）の部分拡大図、（Ｃ）は、条溝内への十字ジョイント嵌入状態説明図である。
【図４】本発明のパネルの接続状態説明図であって、（Ａ）は、十字ジョイント接続部の縦断面図、（Ｂ）は、横目地説明縦断面図、（Ｃ）は、縦目地横断面図である。
【図５】本発明十字ジョイント５の説明図であって、（Ａ）は、全体斜視図、（Ｂ）は、図４（Ａ）の矢印Ｂ視図、（Ｃ）は、図４（Ａ）の矢印Ｃ視図である。
【図６】本発明十字ジョイントの説明図であって、（Ａ）は、図５（Ａ）のＸ−Ｘ線横断面図、（Ｂ）は、図５（Ａ）のＹ−Ｙ線縦断面図、（Ｃ）は、図５（Ａ）のＺ−Ｚ線横断面図であり、（Ｄ）は、変形十字ジョイント６の斜視図である。
【図７】本発明の変形十字ジョイント説明図であって、（Ａ）は、十字ジョイント１０の全体斜視図、（Ｂ）は、図７（Ａ）のＢ−Ｂ線横断面図であり、（Ｃ）は、十字ジョイント１１の全体斜視図である。
【図８】従来例図であって、（Ａ）は、パネル横断面図、（Ｂ）は、図８（Ａ）の部分拡大図、（Ｃ）は、十字ジョイントの全体斜視図、（Ｄ）は、図８（Ｃ）のＤ−Ｄ線縦断面図である。
【図９】従来例図であって、（Ａ）は、パネル十字ジョイント嵌入状態説明横断面図、（Ｂ）は、十字ジョイント嵌入部縦断面図、（Ｃ）は、横目地縦断面図である。
【符号の説明】
【００５５】
１      通気性断熱パネル（パネル）
１Ａ    成形セメント板（セメント板）
１Ｂ    断熱層
１Ｃ    板状部
１Ｄ    肉厚部
２      ハニカムバッカー
２Ｓ    側板
２Ｐ    仕切
３      バックアップ材
４      シーリング
５，６，１０，１１  十字ジョイント
５Ｂ，６Ｂ    下端片（下端リブ）
５Ｃ，６Ｃ    切欠き
５Ｄ，６Ｄ，１０Ｄ，１１Ｄ  底板
５Ｆ，６Ｆ，１０Ｆ，１１Ｆ  上方垂直片（嵌入用垂直片、垂直片）
５Ｆ´，６Ｆ´，１０Ｆ´，１１Ｆ´  下方垂直片（嵌入用垂直片、垂直片）
５Ｍ，６Ｍ，１０Ｍ，１１Ｍ  水平当接片
５Ｐ，１０Ｐ    側板
５Ｐ０    仕切片
５Ｐ´，６Ｐ´  突起片
５Ｓ，６Ｓ，１０Ｓ，１１Ｓ  傾斜側板
５Ｓ´，６Ｓ´  テーパー部
５Ｔ，６Ｔ    上端片（上端リブ）
【００５６】
Ａ      居住部 
ｂ１０，ｂ１１  基端
θ      傾斜角（角度）
ＣＦ    コンクリート躯体
ｄｘ    横目地
ｄｙ    縦目地
ｅ１０，ｅ１１    先端
Ｇ，Ｇ´  条溝
ＧＡ    空気連通溝
ＧＢ    底面（条溝底面）
ＧＦ    開口部
ＧＳ    傾斜側辺
ｈｂ    皿ボルト挿入用孔
ｈｓ    セパレータ挿入用孔
ｉｆ    内面
Ｏｆ，Ｏｓ    外面
Ｓ      床スラブ
Ｓｆ    床スラブ表面
ｔ５，ｔ６  外縁（傾斜縁）
ｔｓ    端縁（傾斜縁）
Ｗ      コンクリート壁（壁、外壁）
【図１】
2007146390.tif 000003
【図２】
2007146390.tif 000004
【図３】
2007146390.tif 000005
【図４】
2007146390.tif 000006
【図５】
2007146390.tif 000007
【図６】
2007146390.tif 000008
【図７】
2007146390.tif 000009
【図８】
2007146390.tif 000010
【図９】
2007146390.tif 000011